(57)【特許請求の範囲】
【請求項１】
アクティブセットにおける複数のセクタと通信し、
同じキャリア上で前記複数のセクタからの独立データストリームを受信し、
前記複数のセクタのうちのセクタの負荷に基づいて、前記独立データストリームをソートし、各独立データストリームは前記複数のセクタから受信され、
前記受信された独立データストリームから選択された第１の独立データストリームに基づいて干渉を除去し、前記干渉は、処理され受信されたデータストリームの第１の繰り返しを生成するために、前記他の受信された独立データストリームから除去され、
前記処理され受信されたデータストリームの第１の繰り返しから選択された第２の独立データストリームに基づいて干渉を除去し、前記干渉は、処理され受信されたデータストリームの第２の繰り返しを生成するために、前記処理され受信されたデータストリームの第１の繰り返しから除去され、
前記第１の独立データストリームは、前記複数のセクタのうちの最も低い負荷を有するセクタから受信される、無線通信のための方法。
【請求項２】
第２のキャリアからの独立データストリームを受信することをさらに具備する請求項１記載の方法。
【請求項３】
他の受信したデータストリームから干渉を除去するに先立ち、前記第１の独立データストリームを復号化することをさらに具備する請求項１記載の方法。
【請求項４】
前記処理され受信されたデータストリームの第１の繰り返しから干渉を除去するのに先立ち、前記第２の独立データストリームを復号化することをさらに具備する請求項１記載の方法。
【請求項５】
前記処理され、かつ受信されたデータストリームの第２の繰り返しから第３の独立データストリームを選択し、
前記第３の独立データストリームを復号し、
前記処理され、かつ受信されたデータストリームの第２の繰り返しから前記第３の独立データストリームに基づく干渉を取り除き、処理され、かつ受信されたデータストリームの第３の繰り返しを生成することをさらに具備する請求項１記載の方法。
【請求項６】
前記独立データストリームは、基地局から移動局へのフォワードリンク中にある請求項１記載の方法。
【請求項７】
アクティブセットにおける複数のセクタとの通信は、マルチリンク無線リンク・プロトコル(RLP)に準拠する請求項１記載の方法。
【請求項８】
第２のセクタについての第２のリバースリンクフィードバックを送信することをさらに具備する請求項１記載の方法。
【請求項９】
前記第２のリバースリンクフィードバックは、第２のセクタと通信を行なうための追加の長いコードマスクを使用して送信された他のパイロット、他のＤＲＣ、他のＤＳＣ、他のアックノレッジメントメッセージのうちの少なくとも１つを含む請求項８記載の方法。
【請求項１０】
前記第２のリバースリンクフィードバックは、基本フィードバックマルチプレキシングである請求項８記載の方法。
【請求項１１】
前記第２のリバースリンクフィードバックは、エンハンスドフィードバックマルチプレキシングである請求項８記載の方法。
【請求項１２】
命令の組が格納されるメモリと、
前記命令の組を実行するように構成された処理システムとを具備し、前記命令の組は、
アクティブセットにおける複数のセクタと通信し、
同じキャリア上で前記複数のセクタからの独立データストリームを受信し、
前記複数のセクタのうちのセクタの負荷に基づいて、前記独立データストリームをソートし、各独立データストリームは前記複数のセクタから受信され、
前記受信された独立データストリームから選択された第１の独立データストリームに基づいて干渉を除去し、前記干渉は、処理され受信されたデータストリームの第１の繰り返しを生成するために、前記他の受信された独立データストリームから除去され、
前記処理され受信されたデータストリームの第１の繰り返しから選択された第２の独立データストリームに基づいて干渉を除去し、前記干渉は、処理され受信されたデータストリームの第２の繰り返しを生成するために、前記処理され受信されたデータストリームの第１の繰り返しから除去され、
前記第１の独立データストリームは、前記複数のセクタのうちの最も低い負荷を有するセクタから受信される、無線通信のための装置。
【請求項１３】
前記処理システムは、さらに、第２のキャリアからの独立データストリームを受信するように構成されている請求項１２記載の装置。
【請求項１４】
前記処理システムは、前記他の受信した独立データストリームから干渉を取り除くのに先立ち、前記第１の独立データストリームを復号するように構成されている請求項１２記載の装置。
【請求項１５】
前記処理システムは、前記処理され、かつ受信されたデータストリームの第１の繰り返しから干渉を除去するのに先立ち、前記第２の独立データストリームを復号するように構成されている請求項１２記載の装置。
【請求項１６】
前記処理システムは、
前記処理され、かつ受信されたデータストリームの第２の繰り返しから第３の独立データストリームを選択し、
前記第３の独立データストリームを復号し、
前記処理され、かつ受信されたデータストリームの第２の繰り返しから前記第３の独立データストリームに基づく干渉を取り除き、処理され、かつ受信されたデータストリームの第３の繰り返しを生成することをさらに具備する請求項１２記載の装置。
【請求項１７】
前記独立データストリームは、基地局から移動局へのフォワードリンク中にある請求項１２記載の装置。
【請求項１８】
アクティブセットにおける複数のセクタとの通信は、マルチリンク無線リンク・プロトコル(RLP)に準拠する請求項１２記載の装置。
【請求項１９】
前記処理システムは、さらに、第２のセクタについての第２のリバースリンクフィードバックを送信するように構成されている請求項１２記載の装置。
【請求項２０】
前記第２のリバースリンクフィードバックは、第２のセクタと通信を行なうための追加の長いコードマスクを使用して送信された他のパイロット、他のＤＲＣ、他のＤＳＣ、他のアックノレッジメントメッセージのうちの少なくとも１つを含む請求項１９記載の装置。
【請求項２１】
前記第２のリバースリンクフィードバックは、基本フィードバックマルチプレキシングである請求項１９記載の装置。
【請求項２２】
前記第２のリバースリンクフィードバックは、エンハンスドフィードバックマルチプレキシングである請求項１９記載の装置。
【請求項２３】
アクティブセットにおける複数のセクタと通信する手段と、
同じキャリア上で前記複数のセクタからの独立データストリームを受信する手段と、
前記複数のセクタのうちのセクタの負荷に基づいて、前記独立データストリームをソートする手段と、各独立データストリームは前記複数のセクタから受信され、
前記受信された独立データストリームから選択された第１の独立データストリームに基づいて干渉を除去する手段と、前記干渉は、処理され受信されたデータストリームの第１の繰り返しを生成するために、前記他の受信された独立データストリームから除去され、
前記処理され受信されたデータストリームの第１の繰り返しから選択された第２の独立データストリームに基づいて干渉を除去する手段とを具備し、前記干渉は、処理され受信されたデータストリームの第２の繰り返しを生成するために、前記処理され受信されたデータストリームの第１の繰り返しから除去され、
前記第１の独立データストリームは、前記複数のセクタのうちの最も低い負荷を有するセクタから受信される、
無線通信のための装置。
【請求項２４】
第２のキャリアからの独立データストリームを受信する手段をさらに具備する請求項２３記載の装置。
【請求項２５】
他の受信したデータストリームから干渉を除去するのに先立ち、前記第１の独立データストリームを復号する手段と
をさらに具備する請求項２３記載の装置。
【請求項２６】
前記処理され、かつ受信されたデータストリームの第１の繰り返しから干渉を除去するのに先立ち、前記第２の独立データストリームを復号する手段と、
をさらに具備する請求項２３記載の装置。
【請求項２７】
前記処理され、かつ受信されたデータストリームの第２の繰り返しから第３の独立データストリームを選択する手段と、
前記第３の独立データストリームを復号する手段と、
前記処理され、かつ受信されたデータストリームの第２の繰り返しから前記第３の独立データストリームに基づく干渉を取り除き、処理され、かつ受信されたデータストリームの第３の繰り返しを生成する手段と
を具備する請求項２３記載の装置。
【請求項２８】
前記独立データストリームは、基地局から移動局へのフォワードリンク中にある請求項２３記載の装置。
【請求項２９】
アクティブセットにおける複数のセクタとの通信は、マルチリンク無線リンク・プロトコル(RLP)に準拠する請求項２３記載の装置。
【請求項３０】
第２のセクタについての第２のリバースリンクフィードバックを送信する手段をさらに具備する請求項２３記載の装置。
【請求項３１】
前記第２のリバースリンクフィードバックは、第２のセクタと通信を行なうための追加の長いコードマスクを使用して送信された他のパイロット、他のＤＲＣ、他のＤＳＣ、他のアックノレッジメントメッセージのうちの少なくとも１つを含む請求項３０記載の装置。
【請求項３２】
前記第２のリバースリンクフィードバックは、基本フィードバックマルチプレキシングである請求項３１記載の装置。
【請求項３３】
前記第２のリバースリンクフィードバックは、エンハンスドフィードバックマルチプレキシングである請求項３１記載の装置。
【請求項３４】
通信のためのコンピュータプログラム製品において、
アクティブセットにおける複数のセクタと通信し、
同じキャリア上で前記複数のセクタからの独立データストリームを受信し、
前記複数のセクタのうちのセクタの負荷に基づいて、前記独立データストリームをソートし、各独立データストリームは前記複数のセクタから受信され、
前記受信された独立データストリームから選択された第１の独立データストリームに基づいて干渉を除去し、前記干渉は、処理され受信されたデータストリームの第１の繰り返しを生成するために、前記他の受信された独立データストリームから除去され、
前記処理され受信されたデータストリームの第１の繰り返しから選択された第２の独立データストリームに基づいて干渉を除去し、前記干渉は、処理され受信されたデータストリームの第２の繰り返しを生成するために、前記処理され受信されたデータストリームの第１の繰り返しから除去され、
前記第１の独立データストリームは、前記複数のセクタのうちの最も低い負荷を有するセクタから受信されるように実行可能な命令を含む機械可読媒体を具備する製品。
【請求項３５】
アンテナと、
アクティブセットにおける複数のセクタと通信するように構成された処理システムと、
前記処理システムとアンテナに結合され、前記アンテナを介して、同じキャリア上で前記複数のセクタからの独立データストリームを受信し、
前記複数のセクタのうちのセクタの負荷に基づいて、前記独立データストリームをソートし、各独立データストリームは前記複数のセクタから受信され、
前記受信された独立データストリームから選択された第１の独立データストリームに基づいて干渉を除去し、前記干渉は、処理され受信されたデータストリームの第１の繰り返しを生成するために、前記他の受信された独立データストリームから除去され、
前記処理され受信されたデータストリームの第１の繰り返しから選択された第２の独立データストリームに基づいて干渉を除去し、前記干渉は、処理され受信されたデータストリームの第２の繰り返しを生成するために、前記処理され受信されたデータストリームの第１の繰り返しから除去され、
前記第１の独立データストリームは、前記複数のセクタのうちの最も低い負荷を有するセクタから受信されるように構成された受信器と
を具備するアクセス端末。
【発明の詳細な説明】
【技術分野】
【０００１】
［優先権の主張］
特許請求のための本願は、2009年2月13日に出願され、この譲渡人に割り当てられ、「相互セクタＭＩＭＯ」と題する仮出願No.61/152,422の優先権を要求し、参考のために明白にここに組み込まれる。
【０００２】
一般に、以下の記述は通信システムに関し、特に、同じキャリアのアクセス端末のアクティブセットからそのアクセス端末までの複数のセクタ(又は、セル)からの独立データストリームの伝送に関する。
【背景技術】
【０００３】
最適化されたエボリューションデータ(ＥＶ−ＤＯ）、ハイスピードパケットアクセス(HSPA)、およびロングタームエボリューション(LTE)のような通信規格で動作可能なデータ通信システムにおいて、一般的には、アクセス端末(ＡＴ)は、所与の任意の時間で単一のキャリア上で単一のセクタからデータを受信することができるだけである。ＥＶ−ＤＯでは、マルチキャリア可能端末及びエンハンスド単一キャリア端末の双方が、ソフト又はよりソフトなハンドオフにある場合に、同時に、複数のセクタからデータを受信することができる。マルチリンク無線リンク・プロトコル(RLP)を使用して、複数のセクタと同時にデータの通信をすることができる。ＡＴは、ＦＬでのデータ受信のための複数のセクタを含むアクティブセットからセクタのサブセットを選択できる。しかしながら、ＡＴは複数のセクタから複数のデータストリームを受信し、復号できなければならない。
【発明の概要】
【０００４】
以下、そのような観点の基本的理解を提供するために1つ以上の観点の簡略化した概要を示す。この概要は、すべての想定された観点の広い概観でなく、全ての観点の主要な又は重要な要素を特定するものでもなければ、いずれかの又は全ての観点を表わすものではないことを意図する。唯一の目的は、後で提示されるより詳細な記述序章として、簡易な形式で1つ以上の観点のいくつかの概念を提示することにある。
【０００５】
種々の観点によると、対象のイノベーションは、無線通信を提供するシステム及び/または、方法に関し、アクティブセットおける複数のセクタで通信すること、同じキャリアで複数のセクタからの独立データを受信することを含む無線通信のための方法が提供される。
【０００６】
他の観点では、無線通信のための装置はアクティブセットにおける複数のセクタで通信し、同じキャリアで複数のセクタから独立データストリーム受信するするために構成された処理システムを含む。
【０００７】
他の観点では、アクティブセットにおける複数のセクタで通信する手段と、同じキャリアで複数のセクタから独立データストリームを受信するための手段とを含む無線通信のための装置が提供される。
【０００８】
他の観点では、端末が独立データストリームの1つから干渉をキャンセルし、次に、他のセクタからの独立データストリームを復号する手段を含む、無線通信のための装置が提供される。この干渉キャンセレーションは順次適用される。
【０００９】
他の観点では、アクティブセットにおける複数のセクタと通信し、同じキャリアで複数のセクタからの独立データストリームを受信するために実行可能な命令を含む機械可読媒体を有する通信のためのコンピュータプログラム製品が提供される。
【００１０】
他の観点では、アンテナと、アクティブセットにおける複数のセクタと通信するように構成された処理システムと、アンテナを介して、同じキャリアで複数のセクタから独立データストリームを受信するように構成された受信器とを具備するアクセス端末が提供される。
【００１１】
前述及び関連する結果を達成を達成するために、1つ以上の観点は、以下に十分に説明され、特に請求項において指摘された特徴を含む。以下の説明と添付された図面は、1つ以上の観点のある図示された観点を詳細に明らかにする。しかしながら、これらの観点は種々の観点の原理が使用されるわずかな観点を示し、述べられた観点がそのようなすべての観点とそれらの同等物を含んでいることを意図するものである。
【図面の簡単な説明】
【００１２】
【図１】図1は、開示の観点に従って構成された無線通信ネットワークの図である。
【図２】図2は、開示の観点に従って構成され、図1の無線ネットワークにおいて使用される無線通信装置のブロック図である。
【図３】図3は、開示の1つの観点に従って構成され、複数のセクタで動作する2つのＡＴの図である。
【図４】図4は、開示の観点に従って構成され、複数のセクタで動作するように構成されたＡＴのネットワーク図である。
【図５】図5は、開示の観点に従って構成され、図４のＡＴの動作を示すフロー図である。
【図６】図6は、開示の他の観点に従って構成され、図4のＡＴの動作を示す第２のフロー図である。
【図７】図7は、開示の1つの観点に従うチャネル情報を返すための装置の機能を示すブロック図である。
【発明を実施するための形態】
【００１３】
新規なシステム、装置、および方法の種々の観点が、添付図面を参照して、より詳細に以下に説明される。しかしながら、教示の開示は、多くの異なる形式で実施され、この開示を通して提示された任意の特定の構造や機能にも制限されるように解釈するべきではない。むしろ、これらの観点は、この開示が十分に完全で、開示の範囲が当業者にとって十分であるように提供される。ここにおける教示に基づいて、当業者にとって、開示した観点は、ここに開示された新規なシステム、装置、および方法の任意の観点をもカバーし、独立して或いは他の発明の観点と組み合わせて実現されるか否かを問わない。例えば、ここで説明される種々の観点を使用することで、装置が実現されることができ、方法が実施されることができる。さらに、発明の観点は、装置、他の構造を使用して機能的に実現される方法、又はここにおける発明の種々の観点以外、又はここにおける発明の種々の観点を加えた構造及び機能等をカバーすることを意図している。ここに開示された任意の観点も請求項の1つ以上の要素で実施できることが理解されるべきである。開示の種々の観点は、同時に同じキャリヤーで複数のセクタからデータを受信するマルチキャリヤー対応端末又はエンハンスド単一キャリア端末を構成することに向けられる。マルチリンク無線リンク・プロトコル(RLP)を使用して、同時に、複数のセクタからデータを送ることができる。開示のある観点では、さらにここで説明されるように、この通信のモードが、ＡＴがソフト又はよりソフトなハンドオフにある場合、キャリア上のアクティブセットにおける全てのセクタによって実行されることができる。開示の他の観点では、ＡＴは、フォワードリンク上でのデータ受信のためのアクティブセットからセクタのサブセットを選択する。ＡＴは第１のフォワードのリンクサービング(serving)セクタと通信するのに必要なフォワードリンクオーバーヘッド情報を伝送し、異なる長いコードマスクを有するリバースリンクパイロット、基本的なフィードバック多重、エンハンスドフィードバック多重を使用する追加的なフォワードリンクサービングセクタと通信するのに必要とされるフォワードリンクオーバヘッド情報をさらに伝送する。
【００１４】
さらに、開示の種々の観点を実現するＡＴが、他のサービングセクタからのデータの復調、復号をする前に、サービングセクタのうちの１つからの干渉をキャンセルする。開示の1つの観点では、干渉キャンセレーションアプローチは連続した干渉キャンセレーションアプローチであり、したがって、ＡＴは、次に最も高い信号対干渉雑音比（SINR）を有するサービングセクタからのデータを復号する前などに最も高いSINRを有するサービングセクタからのデータに関連する干渉をキャンセルすることを試みる。
【００１５】
図1を参照して、ＡＴが存在する無線ネットワークのいくつかの観点が示される。基本サービスセット（ＢＳＳ）100としてもここで参照される無線ネットワークが、一般的に、アクセスポイント110、複数のＡＴ又は局（ＳＴＡ）120として示されるいくつかの無線ノードとともに示される。各無線ノードは、受信及び/又は送信可能である。詳細な説明では、「アクセスポイント」という用語は送信ノードを示すのに使用され、「アクセス端末」という用語はダウンリンク通信のための受信ノードを指定するのに使用され、一方、「アクセスポイント」という用語は受信ノードを指定するのにも使用され、「アクセス端末」という用語は、アップリンク通信のための送信ノードを指定するのにも使用される。しかしながら、当業者は、アクセスポイント及び/又はアクセス端末について、他の用語 又は学術用語が使用できることについて容易に理解することができるであろう。一例として、アクセスポイントは基地局、基本送信器局、局、端末、ノード、アクセスポイントとして動作するアクセス端末、又は他の適切な用語で呼ばれることができる。アクセス端末は、ユーザ端末、移動局、加入者ステーション、ステーション、ワイヤレス機器、端末、ノード、または他の適切な用語で呼ばれることができる。この開示を通して説明される様々な概念が、それらの特定の学術用語にかかわらず全ての適切な無線ノードに適用されることが意図される。
【００１６】
無線ネットワーク100は、アクセス端末120のカバレッジを提供するために地理的範囲に分配された任意の数のアクセスポイントをサポートすることができ、ここで、各アクセスポイントはセクタの一部であってもよく、セクタは1以上のアクセスポイントを含んでも良い。1つ以上のセクタは、一緒にセルに分類できる。無線ネットワークコントローラなどのシステムコントローラ130は、アクセス端末120のための他のネットワーク(例えば、インターネット)にアクセスしてセルとセクタを管理するのと同様に、アクセスポイントの調整(coordination)と制御を提供するのに使用される。例えば、アクセスポイント110とアクセスポイント112が示される。アクセスポイントは、一般に、カバレッジの地理的領域における端末にアクセスするためのバックホール(backhaul)サービスを提供する固定端末である。しかしながら、アクセスポイントはある用途によってはモバイルであることができる。アクセス端末は、固定又はモバイルであってもよく、アクセスポイントのバックホールサービスを利用し、または他のアクセス端末とのピアツーピア通信に関与する。各アクセス端末は、電話(例えば、携帯電話)、ラップトップコンピュータ、デスクトップコンピュータ、パーソナル・デジタル・アシスタント(PDA)、デジタル・オーディオプレーヤー(例えば、MP3プレーヤー)、カメラ、ゲーム機、他の適切な無線ノードを含む。
【００１７】
１つ以上のアクセス端末120は、マルチキャリヤー可能又はエンハンスド単一キャリア端末として設けられることが可能である。例えば、この構成によれば、アクセス端末は、複数のアクセスポイントで通信するのに使用され、追加の帯域幅或いは送信電力なしでデータスループットを改良することができる。これは、ネットワークレベルに関する複数の入力伝送スキームを作成することによって、達成される。
【００１８】
以下の開示の部分が複数のセクタ通信技術をもサポートするアクセス端末について説明する一方、アクセス端末120は、ＭＩＭＯ技術をサポートするアクセスポイントをサポートするように構成される。このアプローチは、より新しいＭＩＭＯアクセス端末が適宜導入されるのを許容する一方、旧式のバージョンのアクセスポイント(すなわち、「レガシー」アクセスポイント)がワイヤレス・ネットワークで配備されたままで残ることを可能にする。
【００１９】
続く詳細な説明では、開示の種々の観点が、Third Generation Partnership Project2(3GPP2)規格をサポートする無線通信システムを参照して説明される。
【００２０】
例えば、以下でさらに使用されるリバースリンクフィードバック・メカニズムが3GPP2規格C. S0024-Bにおいて見られる。3GPP2規格C. S0063-で見られるマルチリンク無線リンクプロトコル(RLP)、もまた、以下で説明されるように使用される。
【００２１】
3GPP2規格が参照されているが、開示の種々の観点は適切な無線技術に使用されることが可能である。他の適切な無線技術は、一例として、符号分割多重アクセス方式の(CDMA)ベースHSPA又はワイドバンド-CDMAと、直交周波数分割多重(OFDM)ベースLTEを含む。当業者が容易に理解できるように、この開示の種々の観点は、任意の特定の無線技術、及び/又はエアインタフェース規格にも制限されない。
【００２２】
図2は、図1のワイヤレス・ネットワーク100などのワイヤレス・ネットワーク上で受信されるメッセージの受信及び処理を容易にする無線通信装置200を示す図である。無線通信装置200は受信器202を含み、受信器２０２は、例えば、受信アンテナ(図示せず)からの受信信号について典型的な動作(例えば、フィルタ、増幅、ダウンコンバートなど)を行い、サンプルを得るために調整された信号をデジタル化する。受信器202は、次に、サンプルを復調器２０４に渡す。復調器２０４は、受信シンボルを復調し、データ処理のためのプロセッサ206に供給する。プロセッサ206は、受信器202によって受信された情報を分析し、及び／又は送信器282による伝送のための情報を生成する専用プロセッサ、無線通信装置200の１以上のコンポーネントを制御するプロセッサ、及び／又は受信器202によって受信された情報の解析、送信器282による伝送のための情報の生成、無線通信装置200の１以上のコンポーネントの制御の双方を行なうプロセッサであっても良い。
【００２３】
無線通信装置200は、さらにプロセッサ206と結合されたマルチセクタ通信ユニット212を含み、プロセッサ206は無線通信装置200が開示の1つの観点による複数のセクタで動作することを可能にする。無線通信装置200はさらに変調器280及び送信器282を含み、これらは、それぞれ、例えば、他の無線通信装置(アクセス端末、アクセスポイントなど)への信号を変調し、送信する。これは情報を通信するのに利用される異なる双方向無線ネットワークの一部として動作することができる。プロセッサ206から別々であるとして表現されるが、マルチセクタ通信ユニット212、復調器204、及び/又は変調器280が、プロセッサ206又は複数のプロセッサ(図示せず)の一部であっても良いことは明らかである。
【００２４】
無線通信装置200はさらに、送信されるデータ、受信データ、利用可能なチャネルに関連する情報、分析信号及び/または、干渉の強さ、割り当てられたチャネルに関連するデータ、電力、レートなど、チャネル及びチャネルを介する通信を推定するための他の適切な情報を格納する機能的にプロセッサ206と結合されるメモリ208をさらに含むことができる。メモリ208はさらに、複数の(multiple)セクタでの動作と同様に、チャネル(例えば、性能ベース、キャパシティベースなど)を推定及び/又は利用することに関連付けられたプロトコル及び／又はアルゴリズムを格納できる。
【００２５】
説明されたデータ格納(例えば、メモリ208)は、揮発性メモリ又は不揮発性メモリのいずれかであることができ、また、揮発性メモリ及び不揮発性メモリの双方を含むことができることは明らかである。例示を通して、限定するものではないが、不揮発性メモリは、リードオンリーメモリ(ROM)、プログラマブルROM(PROM)、電気的敵にプログラマブルなROM(EPROM)、電気的に消去可能なPROM(EEPROM)、またはフラッシュメモリを含むことができる。揮発性の記憶はランダムアクセスメモリー(RAM)を含むことができる。(それは、外部キャッシュメモリとして機能する)。例示を通して、限定するものではないが、RAMは同期RAM(SRAM)、ダイナミックRAM(DRAM)、シンクロナスDRAM(SDRAM)、ダブルデータレートSDRAM(DDR SDRAM)、エンハンスドSDRAM(ESDRAM)、Synchlink DRAM(SLDRAM)、ダイレクトラムバスRAM(DRRAM)などの多くの形をとることが可能である。対象の装置と方法のメモリ208は、限定されるものではないが、これら及び他の適切なタイプのメモリを含むことを意図する。
【００２６】
フォワードリンクのために最適化された従来のデータでは、パケットデータがフォワードトラフィックチャネル(FTC)として呼ばれる共有パケットデータ・チャンネル上のフォワードリンク上で送信される。異なるユーザへのパケットデータ伝送は、時間多重され、フルパワーで送信される。セクタの1人のユーザだけが一度に、アクセスネットワークから伝送を受信する。セクタ間のパケットデータ伝送の調整の複雑さのために、ソフトハンドオフはFTCチャネルでは使用されない。代わりに、セクタ選択又はセクタの切り換えとして知られているプロセスが使用される。ＡＴは、そのアクティブセットにおける全てのセクタからの信号電力をモニターし、サービングセクタとして最も強い信号を提供するセクタを選択する。ＡＴが非サービングセクタに向かい、サービングセクタから遠ざかるにつれて、非サービングセクタからの信号強度が増加するのに対して、サービングセクタからの信号強度は減少する。ＡＴのアクティブセットにおける候補セクタからの信号強度が所定量だけサービングセクタからの信号強度を超えた場合、ＡＴは、セクタを切り換えるための信号を送る。
【００２７】
したがって、伝統的に各ＡＴはＡＴのアクティブセットで見つけられたセクタとキャリヤーで、キャリヤー毎に最大1つの(1)セクタからデータを要求する。セクタは品質に基づいて、他の要素を考慮することなしに選択される。例えば、サービングセクタのために考慮されるセクタの負荷が一般的には考慮されない。ＡＴとセクタ間の全体的なスループットに影響する要素に対するＡＴとセクタ(すなわち、1つ以上のアクセスポイント)間の通信の達成可能品質に基づく通信を確立することが強調されている。しかしながら、ＡＴがまさしく品質以外の要素に基づく通信を確立することが、より望ましい。
【００２８】
図3によって図示されるような開示の1つの観点では、ＡＴがアクティブセットからの同じ或いは異なるセクタにおける複数のキャリヤーと接続できるが、アクティブセットにおける任意のセクタからのキャリアごとの１つのデータストリームに限られるマルチリンクRLPスキームと区別するように、ＡＴ322はアクティブセットにおける複数のセクタ302、304から同じキャリヤー(周波数1)上でデータを要求して、受信する。ソフトハンドオフが同じセルにおけるセクタ間のＡＴのハンドオフを参照し、よりソフトなハンドオフがセル間のハンドオフを参照する場合に、ＡＴ322は、通常の通信の間、ソフト又はよりソフトなハンドオフである場合に、これを実行する。異なる擬似ランダムシーケンスa、b、cの使用を通して、各セクタ302、304、306はＡＴ322のための独立データストリーム伝送することができる。従って、ＡＴ322が各セクタから要求し、受信している同じキャリヤー上の各データストリームは独立データストリームであるので、ＡＴ322はセクタ302、304からのデータを各データストリームに含まれる異なるデータとソフト組み合わせを行なわない。
【００２９】
ＡＴがデータ伝送を開始するにつれて、ＡＴが通信を確立するセクタを選択する。
【００３０】
全てのセクタがアクティブセットから選ばれ、これらはまとめてデータ送信サブセットと呼ばれる。データ送信サブセットは、アクティブセットにおける全てのセクタのみを含むことができ、全てのセクタを含んでいる。開示の1つの観点では、ここに開示されたシステムを実現するために、ＡＴは、ＡＴが通信するいずれの追加セクタにもフォワードリンクオーバーヘッド情報を送信する必要がある。フォワードリンクオーバーヘッド情報は、DRC、DSC、およびACKチャネルを含むことができ、これらチャネルはフォワードのリンク動作に必要な最小要求チャネルである。ＡＴは、さまざまなアプローチを使用することでフォワードリンクオーバーヘッド情報を送信することができる。例えば、ＡＴは、追加の長いコードマスクを使用する追加リバースリンクパイロットを使用することによりフォワードリンクオーバーヘッド情報を送信することができる。ＡＴは、さらに、基本フィードバック多重（マルチプレキシング）を使用することにより、フォワードリンクオーバーヘッド情報を送信することができる。ＡＴは、さらに、エンハンスドフィードバックマルチプレクシングを使用することにより、フォワードリンクオーバーヘッド情報を送信できる。ＡＴは、それぞれの追加セクタに対して異なる長いコードマスクを使用することにより、フォワードリンクオーバーヘッド情報を送信する。
【００３１】
同じキャリアを使用するアクティブセットにおける複数のセクタとＡＴとの間の通信についてのマルチリンクRLPを使用することにより、ＡＴsのアクティブセットにおけるセクタからの同時伝送が多くのアプローチによって可能にされる。例えば、同時伝送はスケジューラ調整を通して達成されることができる。別のアプローチでは、同時伝送は、セルベースのスケジューラが、同時伝送を調整するのに使用されているセルのセクタにわたるジョイントスケジューリングを通して達成される。
【００３２】
他の開示の観点においては、ＡＴが、よりソフトなハンドオフ状況の間に動作している場合、セルからのサービングセクタは同時に、送信されることができ、他のサービングセクタからのデータを復調し、復号する前に、ＡＴがある1つのサービングセクタからの干渉をキャンセルすることを可能にする。再び図3を参照すると、ＡＴ324は、セクタ304との通信を使用する干渉キャンセル(IC)を実行し、セクタ302との通信の干渉キャンセルが、より高いデータレートを実現することを可能にする。
【００３３】
図4及び図５を参照すると、これらは第１のサービングセクタα402と第２のサービングセクタβ404との間で動作するＡＴのための干渉キャンセル(IC)アプローチ500を示しており、この場合において、ステップ502では、受信されたサンプルがフロントエンドランダムアクセスメモリ(Front End Random Access Memory：FERAM)ユニットに格納され、ステップ504では、復調及び復号動作が受信器の他の機能ブロックによって実行される。開示の1つの観点では、ステップ504における第１のサービングセクタα402は最も良いサービングセクタであり、ＡＴは次の最も好適なサービングセクタからのデータストリームを復号する前に、この最も好適なサービングセクタからのデータストリームを復号する。データストリームの繰り返しの順序は最も好適なものから最も好適でない順序である。開示の1つの観点では、データストリーム選択プロセスの繰り返しの最も好適なものから最も好適でない順序は、信号対干渉プラス雑音比によって定義されるように、データストリームの最も良い品質から最も悪い品質によって定義される。開示の他の観点では、データストリーム選択プロセスの間のデータストリームの繰り返しの最も好適なものから最も好適でない順序は、最も低い負荷から最も高い負荷を有する基地局であるように定義される。ステップ506では、第１のサービングセクタα402からの干渉が他のすべてのデータストリームから取り除かれ、第２のサービングセクタβ404からのものを含む。次に、ステップ508では、第２のサービングセクタβ404からのデータストリームが復号される。また、第２のサービングセクタβ404からのデータストリームからの干渉が、他のデータストリームから取り除かれる。連続した干渉キャンセルが、ここに説明されるように実施される。
【００３４】
図6は干渉が別のサービングセクタからのデータを復調または復号する前などにサービングセクタのうちの1つからの干渉をキャンセルするための開示の種々の観点を実行するＡＴのための一般化された連続したキャンセルアプローチ600について図示するフローチャートである。公開の1つの観点では、干渉キャンセルアプローチは連続する干渉キャンセルアプローチである。具体的には、ＡＴは、次に最も高い信号対干渉及び雑音比（SINR）を有するサービングセクタからのデータを復号等する前に、最も高い信号対干渉及び雑音比(SINR)を有するサービングセクタからのデータに関連する干渉をキャンセルすることを試みる。ステップ602では、ＡＴはアクティブセットにおける複数のセクタと通信を行なう。開示の1つの観点では、アクティブセットにおけるセクタが、決定されたフォワードリンク品質に基づいて選択され、これは、信号対干渉プラス雑音比又は複数のセクタの負荷に基づいて決定されることが可能なである。ステップ604では、ＡＴは同じキャリヤー上で複数のセクタからの独立データストリームを受信する。ステップ606では、ＡＴは所定の基準に基づいて独立データストリームを分類する。ステップ608では、ＡＴは独立データストリームの1つを選択する。ステップ610では、ＡＴは独立データストリームの1つを復号する。ステップ612では、ＡＴはステップ610で復号された1つの独立データストリームに基づく干渉を、他の受信した独立データストリームから取り除く。ステップ614では、ＡＴは他のデータストリームに対する処理を繰り返す。
【００３５】
図7は、開示の1つの観点による装置700の機能を示す図である。装置700は、アクティブセットにおける複数のセクタと通信するためのモジュール702、同じキャリヤー上で複数のセクタからの独立データストリームを受信するためのモジュール704を含む。当業者であれば、ここに開示された観点に関連して述べられた種々の図示された論理ブロック、モジュール、プロセッサ、手段、回路、アルゴリズムステップのいずれもが、電子ハードウェア(例えば、デジタル実装、アナログ実装、またはこれらの組み合わせ、これらはソースコーディング又は他のテクニックを使用することで設計される)、 種々のプログラムのフォーム又は指示を含む設計コード(ここでは、簡便化のため「ソフトウェア」又は「ソフトウェア・モジュール」として言及される)又はこれの組み合わせとして実現されることが理解されるであろう。ハードウェアとソフトウェアの互換性を明確に図示するために、種々の図示したコンポーネント、ブロック、モジュール、サーキットおよびステップが、機能性の観点から上述のように説明される。このような機能性がハードウェア又はソフトウェアとして実現されるか否かは、全体のシステムに課される特定用途及び設計制約に依存する。当業者は、各特定用途について種々の方法で説明された機能性を実現するが、このような実現の決定は、本開示の観点から離れることもたらすものとして解釈するべきでない。
【００３６】
前述の説明は、いずれの当業者が開示の完全な観点を十分に理解することを可能にするために提供される。ここに開示された様々な構成の修正は、当業者にとって容易に明らかである。したがって、請求項はここに述べられた開示の種々の観点に制限されることを意図するものではなく、請求項の言語と一致する完全な観点に従うものであり、個々の要素の参照は特に述べられない限りは１つ及び唯一のものを意図するものではなく、むしろ１つ以上を意味するものである。具体的に述べられない限り、「いくつか」という用語は1つ以上を意味する。当業者に知られ、又は後に知られているこの開示を通して述べられる種々の観点の要素に対する全ての構造的及び機能的な均等物は、明確にここに組み込まれ、請求項によって包含されることを意図するものとである。さらに、このような開示が請求項において明確に記載されているかどうかにかかわらず、ここに開示されたものを公共の用に供することを意図するものではない。用語”手段”或いは方法の請求項の場合には、用語”ステップ”を使用することにより、要素が明示的に記載されていない限り、任意の請求項の要素も35米国C.§112、第6パラグラフに関する条項の下で解釈されない。
【図１】
0005442774.tif 000002
【図２】
0005442774.tif 000003
【図３】
0005442774.tif 000004
【図４】
0005442774.tif 000005
【図５】
0005442774.tif 000006
【図６】
0005442774.tif 000007
【図７】
0005442774.tif 000008